(57)【要約】      （修正有）【課題】高温や高真空等の環境下で用いる転がり軸受に固体潤滑材料からなるスペーサを各転動体間に配置するスペーサ型固体潤滑軸受において、回転中の衝撃で損傷して軸受に異常振動が発生したり、スペーサが脱落することを防止する。【解決手段】内輪２と、外輪１と、転動体３と、選択された材料からなる固体潤滑剤を含有するスペーサ４と、少なくとも１個の前記スペーサ４及び１個の転動体３を単位として収納するポケットを有する保持器５とを備えた固体潤滑転がり軸受とすることにより、脱落や破損のおそれがなく、振動が少なくて滑らかで安全な回転が得られる固体潤滑転がり軸受を可能にする。【選択図】図１
2014020531.tif 000002
【特許請求の範囲】
【請求項１】
内輪と、外輪と、転動体と、固体潤滑剤を含有する材料からなるスペーサと、前記転動体とスペーサを収納するポケットを有する保持器とを備えた固体潤滑転がり軸受において、前記保持器は前記スペーサと少なくとも１個の転動体を単位として収納する保持器であり、保持器のポケットが前記転がり軸受の鉛直方向及び円周方向双方に転動体とスペーサを保持する曲率を有し、少なくとも１個の前記転動体表面並びに、前記外輪、前記内輪及び前記保持器の転動面のうち、いずれか少なくとも１面には固体潤滑膜があらかじめ成膜されていることを特徴とする固体潤滑転がり軸受。
【請求項２】
内輪と、外輪と、転動体と、固体潤滑剤を含有する材料からなるスペーサと、前記転動体とスペーサを収納するポケットを有する保持器とを備えた固体潤滑転がり軸受において、前記保持器は前記スペーサを挟み２個の転動体を単位として収納する保持器であり、保持器のポケットが前記転がり軸受の鉛直方向及び円周方向双方に転動体とスペーサを保持する曲率を有し、少なくとも１個の前記転動体表面並びに、前記外輪、前記内輪及び前記保持器の転動面のうち、いずれか少なくとも１面には固体潤滑膜があらかじめ成膜されていることを特徴とする固体潤滑転がり軸受。
【発明の詳細な説明】
【技術分野】
【０００１】
本発明は、グリース潤滑や油潤滑の適用が困難である高温環境あるいは減圧環境、または減圧かつ高温、真空かつ高温等の環境のもとで使用する自己潤滑型の固体潤滑転がり軸受の改良に関する。
【背景技術】
【０００２】
一般的な軸受潤滑方式であるグリース潤滑が使用できない高温や高真空または真空高温等の環境下で用いる転がり軸受に対しては、固体潤滑剤が適用されている。適用の方法としては固体潤滑剤を転動体の間に配置するスペーサ法の他、種々の方法が提案されている。例えば特開平７−１５１１５２号、特開平９−１４４７６０号、特開平８−４７７３号、実公平７−２１９２７号等で開示されている。その他にも関連する特許文献として、特開平８−００４７７３号、実公平０７−０２１９２７号、実開昭６３−０３５８１７号、特開昭５５−０９９３３２号、特開平０１−２６１５１６号、特開平０２−１４６３１４号、実開平０３−００３６９９号、実開平０５−０３２８３１号、実公昭３６−０１９８０６号、特開平０２−０２１０２７号、実開平０４−０８２４３２号、特開平０８−２３２９６１号等があげられる。また、テンタークリップに関連する先行技術文献としては、特開２００４−３０１１６７号、特開２００７−２０３５０６号、特開２０１１−０１７４０９号、国際公開ＷＯ１９９９／０６０２８１号などがある。
【先行技術文献】
【特許文献】
【０００３】
【特許文献１】特開平０７−１５１１５２号公報
【特許文献２】特開平０９−１４４７６０号公報
【特許文献３】特開平８−００４７７３号公報
【特許文献４】実公平０７−０２１９２７号公報
【特許文献５】実開昭６３−０３５８１７号公報
【特許文献６】特開昭５５−０９９３３２号公報
【特許文献７】特開平０１−２６１５１６号公報
【特許文献８】特開平０２−１４６３１４号公報
【特許文献９】実開平０３−００３６９９号公報
【特許文献１０】実開平０５−０３２８３１号公報
【特許文献１１】実公昭３６−０１９８０６号公報
【特許文献１２】特開平０２−０２１０２７号公報
【特許文献１３】実開平０４−０８２４３２号公報
【特許文献１４】特開平０８−２３２９６１号公報
【特許文献１５】特開２００４−３０１１６７号公報
【特許文献１６】特開２００７−２０３５０６号公報
【特許文献１７】特開２０１１−０１７４０９号公報
【特許文献１８】国際公開ＷＯ１９９９／０６０２８１号公報
【発明の概要】
【発明が解決しようとする課題】
【０００４】
しかしながら、より一層の安定した回転を実現するもの、長寿命であるもの、軸受としての組立が容易なもの、コストが低いものが求められている。
【課題を解決するための手段】
【０００５】
本発明の固体潤滑転がり軸受は、内輪と、外輪と、転動体と、固体潤滑剤を含有する材料からなるスペーサと、前記転動体とスペーサを収納するポケットを有する保持器とを備えた固体潤滑転がり軸受において、前記保持器は前記スペーサと少なくとも１個の転動体を単位として収納する保持器であり、保持器のポケットが前記転がり軸受の鉛直方向及び円周方向双方に転動体とスペーサを保持する曲率を有し、少なくとも１個の前記転動体表面並びに、前記外輪、前記内輪及び前記保持器の転動面のうち、いずれか少なくとも１面には固体潤滑膜があらかじめ成膜されていることを特徴とする固体潤滑転がり軸受からなる。
【０００６】
また、本発明の固体潤滑転がり軸受は、内輪と、外輪と、転動体と、固体潤滑剤を含有する材料からなるスペーサと、前記転動体とスペーサを収納するポケットを有する保持器とを備えた固体潤滑転がり軸受において、前記保持器は前記スペーサを挟み２個の転動体を単位として収納する保持器であり、保持器のポケットが前記転がり軸受の鉛直方向及び円周方向双方に転動体とスペーサを保持する曲率を有し、少なくとも１個の前記転動体表面並びに、前記外輪、前記内輪及び前記保持器の転動面のうち、いずれか少なくとも１面には固体潤滑膜があらかじめ成膜されていることを特徴とする固体潤滑転がり軸受からなる。
【０００７】
あらかじめ固体潤滑膜が施されることにより、より一層の安定した回転性能を得ることができる。また、低コストで長寿命の転がり軸受とすることができる。
【図面の簡単な説明】
【０００８】
【図１】は、本発明の固体潤滑転がり軸受の一部を切り欠いて表した斜視図である。
【図２】は、図１に示す軸受の保持器の正面図である。
【図３】は、図１の保持器の部分拡大図である。
【図４】は、図２のIV矢視で示す保持器片面側の側面図である。
【図５】は、スペーサの斜視図である。
【図６】は、実施例の構造説明図である。
【符号の説明】
【０００９】
１外輪、２内輪、３転動体、４スペーサ、５保持器
【発明を実施するための形態】
【００１０】
本発明を、図面を参照してより詳細に説明する。
図１〜図５は、本発明の固体潤滑転がり軸受の実施形態である固体潤滑深溝玉軸受を示すもので、図２は当該軸受の保持器の正面図、図３はその保持器の部分拡大図、図４は図２のIV矢視で示す保持器の片面側の側面図、図５はスペーサの斜視図である。この玉軸受は、外輪１と内輪２との間に、８個の転動体（この場合は玉）３が円周方向に所定の間隔をおいて配設されている。その玉３は二個が一組とされて、その間に介在する１個のスペーサ４と共に保持器５のポケット５１内に収納されて一単位を構成している。
【００１１】
スペーサ４は、図５に示すように円筒形で、その両端面４１、４１間の幅（又は高さ）ｈよりも直径ｄｓの方が大きく（ｈ＜ｄｓ）、且つその直径ｄｓは後述するように軸受内外輪１、２の軌道面の形状に合わせて設計してあり、また端面４１の角部を面取りしてある。ただし、ｈとｄｓの関係は使用条件等により適宜設計される。
【００１２】
本スペーサ４は固体潤滑機能を有する材料からなるものであって、具体的には、天然又は人造の黒鉛材料、窒化ホウ素、二硫化モリブデン、二硫化タングステン等の固体潤滑材料を、ガラス繊維、耐熱性樹脂繊維、炭素繊維等の強化フィラーと混合して、有機質もしくは無機質のバインダーで固めて焼成したり、あるいは上記固体潤滑材料と鉄、ニッケル、コバルト等の耐熱性合金とを複合焼結したものが考えられる。
【００１３】
保持器５は、図示の場合、プレス型保持器で、２個の玉と１個のスペーサ４とを１単位として挟んで収納する円弧状のポケット５１を、円周等分に四箇所有する２枚の円環状のプレス成形金属板５１１、５１１を対向させて組み合わせ、四箇所のポケット５１間の連結部５２をリベット６で加締めて一体に締結されている。円環状の成形金属板５１１、５１１の４箇所の各ポケット５１部分には、それぞれ、ポケット両端に玉３の球面に合わせて曲面を形成してある２箇所の玉収納部５１２、５１２を有すると共に、その中間にスペーサ４の円筒面に合わせて曲面を形成してあるスペーサ収納部５１３が形成されている。
【００１４】
本発明の固体潤滑転がり軸受の保持器にあっては、このように例えば１個のスペーサと２個の転動体を収容するポケットを有する形状とされているが、鉛直方向、円周方向に一定の曲率半径をもつ曲面で転動体とスペーサを保持する構造とすることが望ましい。こうして、転動体とスペーサを曲面で抱えることにより、回転中の保持器位置を固定し、スペーサと転動体の中心軸をほぼ一定に保つことが出来るため、安定した回転を長期にわたって維持できる。
【００１５】
ここで、図６に示すように、本発明の固体潤滑転がり軸受においては、例えば転動体である玉３に、あらかじめ固体潤滑膜が形成されている。あらかじめ形成される固体潤滑膜は、転動体のほか、保持器、保持器のポケット面、内外輪、内外輪の軌道面に施されていてもよい。とくに、転動面（転動体と転がり接触する面）に施されているとよい。
【００１６】
固体潤滑剤の組成は、スペーサ４のものと同様であっても良いし、異なっていても良い。  
【図１】
2014020531.tif 000003
【図２】
2014020531.tif 000004
【図３】
2014020531.tif 000005
【図４】
2014020531.tif 000006
【図５】
2014020531.tif 000007
【図６】
2014020531.tif 000008